(57)【特許請求の範囲】
【請求項１】
床の状態を変更可能な床動作手段と、この床動作手段の制御手段と、床の状態の変更を指令する操作スイッチ手段を有する電動式ベッドにおいて、前記制御手段には、報知すべき床の状態を設定可能な床状態設定手段を設けると共に、前記操作スイッチ手段には、各床の状態の変更を操作する操作スイッチ部と、その操作可能状態を表示する発光表示部を設け、この発光表示部は、発光色を切換可能に構成し、前記床状態設定手段において設定した床状態に移行した場合には、その床状態への変更を操作する前記操作スイッチ部に対応する前記発光表示部を、前記制御手段からの指令により、各操作スイッチ部の操作可能状態を表示する通常の発光色から他の発光色に切り換えて発光表示させる構成としたことを特徴とする電動式ベッドにおける床の状態の報知装置。
【請求項２】
床の状態を変更可能な床動作手段と、この床動作手段の制御手段と、床の状態の変更を指令する操作スイッチ手段を有する電動式ベッドにおいて、前記制御手段には、報知すべき床の状態を設定可能な床状態設定手段を設けると共に、前記操作スイッチ手段には、各床の状態の変更を操作する操作スイッチ部と、その操作可能状態を表示する発光表示部を設け、この発光表示部は、発光パターンを切換可能に構成し、前記床状態設定手段において設定した床状態に移行した場合には、その床状態への変更を操作する前記操作スイッチ部に対応する前記発光表示部を、前記制御手段からの指令により、各操作スイッチ部の操作可能状態を表示する通常の発光パターンから他の発光パターンに切り換えて発光表示させる構成としたことを特徴とする電動式ベッドにおける床の状態の報知装置。
【請求項３】
床の状態を変更可能な床動作手段と、この床動作手段の制御手段と、床の状態の変更を指令する操作スイッチ手段を有する電動式ベッドにおいて、前記制御手段には、報知すべき床の状態を設定可能な床状態設定手段を設けると共に、前記操作スイッチ手段には、各床の状態の変更を操作する操作スイッチ部と、その操作可能状態を表示する発光表示部を設け、この発光表示部は、発光色と発光パターンを切換可能に構成し、前記床状態設定手段において設定した床状態に移行した場合には、その床状態への変更を操作する前記操作スイッチ部に対応する前記発光表示部を、前記制御手段からの指令により、各操作スイッチ部の操作可能状態を表示する通常の発光色と発光パターンから他の発光色と発光パターンに切り換えて発光表示させる構成としたことを特徴とする電動式ベッドにおける床の状態の報知装置。
【請求項４】
操作スイッチ手段に、報知音発生部を設け、この報知音発生部は、発光表示部において、通常の発光色又は発光パターンから他の発光色又は発光パターンへの切換と共に鳴動させる構成としたことを特徴とする請求項１、２又は３に記載の電動式ベッドにおける床の状態の報知装置。
【請求項５】
報知するべき床の状態として、床高の最低位置を床状態設定手段に設定したことを特徴とする請求項１〜４までのいずれか１項に記載の電動式ベッドにおける床の状態の報知装置。
【発明の詳細な説明】
【技術分野】
【０００１】
本発明は電動式ベッドにおける床の状態の報知装置に関するものである。
【背景技術】
【０００２】
病院・施設用又は在宅における介護用等の電動式ベッドでは、患者等の起立時の負担軽減、座位保持時の安定性向上、そして転落事故発生時の重症度軽減を目的として、調節可能な床の最低高さを低くすること、いわゆる低床化が進んでいる。しかしながらベッドの床高の管理、特に介助作業で介助者が床高を上げ、作業終了後に下げ忘れるといったヒューマンエラーがあり得るため、低床のベッドが有効活用されていない場合がある。
【０００３】
一方、電動式ベッドでは、床上の患者等の姿勢を医師の指示に対応するために床を調節することがあり、その例としては、ファーラー位（半座位）やカーディアックポジション、床の展伸（トレンデレンバーグ）、逆展伸（リバーストレンデレンバーグ）等が挙げられる。しかしながら、例えばファーラー位に対応して床を調節する際に、医師から背角度を３０°や４５°等にするように指示されても、現状では、看護スタッフが目視で設定することがあり、必ずしも医師の指示した姿勢となっていない場合がある。
【０００４】
ベッドの姿勢、即ち、床高や背床及び膝床の角度等の床の状態を把握するための従来技術として、例えば特許文献１では、背床及び膝床の角度調節機能、床の高さ調節機能、床の展伸（トレンデレンバーグ）、逆展伸（リバーストレンデレンバーグ）の各調節機能、ローリング機能等を有する電動ベッドにおいて、ベッドの床の状態を、手元スイッチや、ナース操作パネルの液晶表示部等に数値で表示することが記載されている。
【０００５】
しかしながら、床の状態を、数値によって手元スイッチ等に表示する方法では、看護スタッフ等がベッドの状態の確認を行う際には、手元スイッチ等の表示部に表示されている数値を読み取ることが必須であり、更に、表示されている数値に対応する床の状態が、設定された状態と合致するか否かを即座に確認することができない。
【０００６】
このため看護スタッフが担当エリアの多数のベッドの床の状態を巡視する際には、夫々のベッドにおいて手元スイッチ等に表示されている数値を一々確認しなければならず、多大なる時間を要している。
【０００７】
一方、特許文献２には、病室内に設置されているベッドの床の状態に対応する数値を表示する数値表示部を、病室の入口近傍の外壁や、ナースセンタに配置して、ベッドから離れた位置で床の状態を監視することを可能とする従来技術が記載されているが、このような従来技術では、夫々のベッドと数値表示部とを接続する配線を含め、装置が大掛かりになり、コスト高であると共に、数値表示部に表示されている数値は、単に床の状態に対応するものであるから、この数値に対応する床の状態が、医師の指示等に従って設定された床の状態と合致するか否かを即座に確認することもできない。
【０００８】
この他、ベッドから離れた位置で、ベッドの床の状態を確認する方法として、例えば、ベッドの床高に関しては、床から紐を垂らし、その紐の先端が床面に接地しているか、否かで床高を確認することを実施している施設もある。この方法では、ベッドの床高が低くなっているか否かをベッドから離れている個所から視認することができるので、巡視時間の短縮化に、ある程度の寄与をしている。
【０００９】
しかしながらベッドの床高の確認が必要な時点は、むしろ、看護スタッフの監視が手薄になって不穏行動が増える夜間であり、暗い室内では紐の視認性が低いので、必ずしも効率的な監視を行うことができない。
【００１０】
一方、他の方法として、ベッドの側面に目盛を設け、目盛と床との相対位置によりベッドの床の状態を確認する方法もあるが、この方法では、多様な床の状態が取り得るベッドにおいて、医師が指示する特定の姿勢に対応する床の位置を設定したり、現状の床の状態が、設定された状態と合致しているか否かを確認することは、非常に手間が掛かるため、このような方法を実践している施設は少ない。
【先行技術文献】
【特許文献】
【００１１】
【特許文献１】特許第２８７４０３６号公報
【特許文献２】特許第２８７９８１９号公報
【発明の概要】
【発明が解決しようとする課題】
【００１２】
本発明では、以上に説明した従来技術の欠点を本発明が解決しようとする課題としており、即ち、ベッドの床の状態が、設定された状態であるか否かの確認を夜間の暗い環境下等においても、容易、且つ確実に行える床の状態の報知装置を提供することを目的とするものである。
【課題を解決するための手段】
【００１３】
上述した課題を解決するために、本発明では、まず、床の状態を変更可能な床動作手段と、この床動作手段の制御手段と、床の状態の変更を指令する操作スイッチ手段を有する電動式ベッドにおいて、前記制御手段には、報知すべき床の状態を設定可能な床状態設定手段を設けると共に、前記操作スイッチ手段には、各床の状態の変更を操作する操作スイッチ部と、その操作可能状態を表示する発光表示部を設け、この発光表示部は、発光色を切換可能に構成し、前記床状態設定手段において設定した床状態に移行した場合には、その床状態への変更を操作する前記操作スイッチ部に対応する前記発光表示部を、前記制御手段からの指令により、各操作スイッチ部の操作可能状態を表示する通常の発光色から他の発光色に切り換えて発光表示させる構成とした電動式ベッドにおける床の状態の報知装置を提案する。
【００１４】
また本発明では、次に、床の状態を変更可能な床動作手段と、この床動作手段の制御手段と、床の状態の変更を指令する操作スイッチ手段を有する電動式ベッドにおいて、前記制御手段には、報知すべき床の状態を設定可能な床状態設定手段を設けると共に、前記操作スイッチ手段には、各床の状態の変更を操作する操作スイッチ部と、その操作可能状態を表示する発光表示部を設け、この発光表示部は、発光パターンを切換可能に構成し、前記床状態設定手段において設定した床状態に移行した場合には、その床状態への変更を操作する前記操作スイッチ部に対応する前記発光表示部を、前記制御手段からの指令により、各操作スイッチ部の操作可能状態を表示する通常の発光パターンから他の発光パターンに切り換えて発光表示させる構成とした電動式ベッドにおける床の状態の報知装置を提案する。
【００１５】
また本発明では、次に、床の状態を変更可能な床動作手段と、この床動作手段の制御手段と、床の状態の変更を指令する操作スイッチ手段を有する電動式ベッドにおいて、前記制御手段には、報知すべき床の状態を設定可能な床状態設定手段を設けると共に、前記操作スイッチ手段には、各床の状態の変更を操作する操作スイッチ部と、その操作可能状態を表示する発光表示部を設け、この発光表示部は、発光色と発光パターンを切換可能に構成し、前記床状態設定手段において設定した床状態に移行した場合には、その床状態への変更を操作する前記操作スイッチ部に対応する前記発光表示部を、前記制御手段からの指令により、各操作スイッチ部の操作可能状態を表示する通常の発光色と発光パターンから他の発光色と発光パターンに切り換えて発光表示させる構成電動式ベッドにおける床の状態の報知装置を提案する。
【００１６】
また本発明では、以上の各構成において、操作スイッチ手段に、報知音発生部を設け、この報知音発生部は、発光表示部において、通常の発光色又は発光パターンから他の発光色又は発光パターンへの切換と共に鳴動させる構成とした電動式ベッドにおける床の状態の報知装置を提案する。
【００１７】
また本発明では、以上の各構成において、報知するべき床の状態として、床高の最低位置を床状態設定手段に設定された電動式ベッドにおける床の状態の報知装置を提案する。
【発明の効果】
【００１８】
本発明では、電動式ベッドが取り得る姿勢、即ち、床高や背床及び膝床の角度等の床の状態のうち、所望の報知すべき床の状態を床状態設定手段に設定しておく。
【００１９】
報知すべき床の状態としては、床高が最低位置に至った状態や、医師の指示により床の状態をファーラー位やカーディアックポジション、床の展伸（トレンデレンバーグ）、逆展伸（リバーストレンデレンバーグ）等に対応する状態とする際に、指示された状態から外れている床の状態、禁忌姿勢に対応する床の状態等が例示されるが、この他、床状態設定手段において適宜に設定することができる。
【００２０】
ここで床の状態が、報知すべき床の状態となっていない場合には、操作スイッチ部の発光表示部は、通常の発光色又は発光パターンで発光表示しているので、操作者は、発光表示されている操作スイッチ部が操作可能状態であると知ることができ、それらの操作スイッチ部を必要に応じて操作して床の状態を変更することができる。
【００２１】
操作により床の状態が変更して、その状態が報知すべき床の状態となった場合には、発光表示部は、その発光表示が、通常の発光色又は発光パターンから、他の発光色又は発光パターンにへと切り換わるので、この発光色又は発光パターンの切り換わりを視認することにより、床の状態が、報知すべきものとして予め設定された状態になったことを確認することができる。
【００２２】
このように、本発明では、報知すべき床の状態の確認に際しては、表示部に表示される数値を読み取るというような確認動作が不要であるので、昼夜に関わらず瞬時に、そして確実に確認を行うことができ、業務効率の向上を図ることができる。こうして、例えば看護スタッフが担当エリアの多数のベッドの床の状態を夜間に巡視する業務時間を大幅に短縮することができる。
【００２３】
操作スイッチ手段は、手元スイッチ又はナース操作パネルとして構成することができ、例えば手元スイッチは電動式ベッドにおいて必須の要素であり、またナース操作パネルも病院用・施設用の電動式ベッドでは必須的な要素であるから、特許文献２に示されるような専用の表示装置を必要とせず、従って大掛かりとならず、コストも低く構成することができる。
【００２４】
操作スイッチ手段に報知音発生部を設けた場合には、その鳴動により、床の状態が報知すべき床の状態となった時点において即座に確認することができ、放置すべき床の状態が継続してしまうこと、例えば禁忌状態が継続してしまうことを確実に防止することができる。
【図面の簡単な説明】
【００２５】
【図１】図１は本発明に係る報知装置の構成を示す模式的系統図である。
【図２】図２は本発明に係る報知装置を用いたベッドの一例を示す斜視図である。
【図３】図３は本発明に係る報知装置に用いる手元スイッチの一例を示す模式的正面図である。
【図４】図４は本発明に係る報知装置に用いる手元スイッチの他例を示す模式的正面図である。
【図５】図５は本発明に係る報知装置における床の状態の報知の一例を示す流れ図である。
【図６】図６は本発明に係る報知装置における床の状態の報知の他の例を示す流れ図である。
【図７】図７は本発明に係る報知装置における床の状態の報知の更に他の例を示す流れ図である。
【発明を実施するための形態】
【００２６】
次に本発明の実施の形態を添付図面を参照して説明する。
図１は本発明に係る報知装置の構成を示す模式的系統図、図２はその報知装置を用いたベッドの一例を示すもので、本発明に係る報知装置１は、床２の状態を変更可能な床動作手段３と、この床動作手段３の制御手段４と、床の状態の変更を指令する操作スイッチ手段５を有する電動式ベッド６を前提としている。このような電動式ベッドは周知であるので詳細な説明は省略する。
【００２７】
本発明においては、制御手段４に、報知すべき床２の状態を設定可能な床状態設定手段７を設けると共に、前記操作スイッチ手段５には、各床２の状態に対応する操作スイッチ部８と、その操作可能状態を表示する発光表示部９を設けている。そして、この発光表示部９は、その発光色を切換手段１０により切換可能に構成している。
【００２８】
ここで、発光表示部９は、その発光色を切換可能であれば、例えば複数のＬＥＤペレットを一体的に透光性材料でモールドして一体に構成した多色発光ＬＥＤを用いたり、複数の異なった発光色のＬＥＤ９ｇ，９ｒを隣接して設置して、点灯するＬＥＤを切り換えたり、同時発光させて加色混合により発光色を切り換える構成等を用いることができる。図示の構成においては、ＬＥＤ９ｇは発光色が緑色のＬＥＤ、ＬＥＤ９ｒは発光色が赤のＬＥＤであり、これらを単独で点灯させることにより、緑色と赤色の発光色が得られ、同時点灯により橙色の発光色が得られる。
【００２９】
一方、切換手段１０には、発光色の切換機能に加えて、発光表示部９の点灯パターンを切り換える機能を設けることができる。切り換える点灯パターンとしては、連続点灯と間欠点灯があり、間欠点灯においても、その周期の違いによりパターンを変えることができる。
【００３０】
次に図３は本発明の報知装置の構成要素である操作スイッチ手段５を、リモートコントローラとしての手元スイッチとして構成した第１の実施の形態を示すものである。
図において符号１１はスイッチ器体であり、このスイッチ器体１１の正面側には、操作スイッチ部８を構成する、左右一対の操作ボタン１２Ｌ，１２Ｒが４組設置されている。夫々の組の操作ボタン１２Ｌ，１２Ｒは、図において上から下に向かって、ａからｄの添字を付して区別をしている。
【００３１】
夫々の対を成す左右の操作ボタン１２Ｌ，１２Ｒの間には、対応する操作ボタン１２Ｌ，１２Ｒによる床２の動作を象徴的に表示したピクトグラム１３ａ，１３ｂ，１３ｃ，１３ｄが設けられている。そしてこれらのピクトグラム１３ａ，１３ｂ，１３ｃ，１３ｄの夫々の上方には、発光表示部９を構成する、透光窓部１４ａ，１４ｂ，１４ｃ，１４ｄが設けられており、夫々の透光窓部１４ａ，１４ｂ，１４ｃ，１４ｄに対応してスイッチ器体１１内には発光色切換可能な上記ＬＥＤ９ｇ，ＬＥＤ９ｒが設けられている。また最も上側の左側の操作ボタン１２Ｌａの上方には電源表示部としての透光窓部１５が設けられており、それに対応するスイッチ器体１１内にもＬＥＤ（図示省略）が設けられている。尚、これらの透光窓部１４ａ，１４ｂ，１４ｃ，１４ｄ，１５は、ＬＥＤ自体として構成することもできる。
【００３２】
また、図において符号１６は液晶表示器やＬＥＤを用いた床の状態の表示部であり、符号１７はスイッチ器体１１をサイドレール（図示省略）等に装着して支持するためのフックである。
【００３３】
ここで、各操作ボタン１２Ｌ，１２Ｒにより制御手段４を介して床動作手段３を制御して行う床２の動作を説明すると、図中最も上側の操作ボタン１２Ｌａ，１２Ｒａは、背床と膝床を連動して昇降動作させるものである。次いで下側に配置された操作ボタン１２Ｌｂ，１２Ｒｂは、背床のみを昇降動作させるもの、次いで下側の操作ボタン１２Ｌｃ，１２Ｒｃは、膝床のみを昇降動作させるもの、次いで下側の操作ボタン１２Ｌｃ，１２Ｒｃは、背床と膝床を支持したフレームを昇降動作させてベッドの床高を調節するものである。夫々の操作ボタン１２において、添字Ｌを付した図中左側のものが床を下降させ、図中右側のものが床を上昇させる動作を行わせるものである。
【００３４】
これらの床の昇降動作及びその機構は周知であるので詳細の説明は省略する。そして、電動式ベッドにおける床の昇降動作は、以上に説明したものの他、上述したように、床の展伸（トレンデレンバーグ）や、逆展伸（リバーストレンデレンバーグ）の動作、ローリング動作等があり、本発明は、このような床の昇降動作に対応する操作スイッチ部を操作スイッチ手段に設けて、対応する床の動作を行わせ、そして報知すべき床の状態を設定することができることは勿論である。
【００３５】
以上の構成において、本発明では、上述したように報知すべき床の状態を、床状態設定手段７に設定するのであるが、この設定は、前記制御手段４に必要に応じて接続した設定手段により設定することもできるし、操作スイッチ部８を構成する手元スイッチを用いて設定可能な構成とすることもできる。後者においては、その設定部を、スイッチ器体１１の背面側や側面側等に設けたり、正面側の操作ボタンの所定の組み合わせ操作により設定するように構成することができる。
【００３６】
以上に説明した制御手段４、床状態設定手段７及び操作スイッチ手段５は、マイクロコンピュータ応用装置として構成することができる。
【００３７】
以上の構成において、床状態設定手段７に予め設定した床の状態が、報知すべき床の状態となっていない場合には、操作スイッチ手段５の対応する操作スイッチ部８の発光表示部９は、通常の発光色で発光表示しているので、看護スタッフや床上の患者等の操作者は、発光表示されている操作スイッチ部が操作可能状態であると知ることができ、必要に応じて操作して床の状態を変更することができる。
【００３８】
例えば、報知するべき床の状態として、床高の最低位置を床状態設定手段７に設定した場合には、床高に対応する操作ボタン１２Ｌｄ，１２Ｒｄの発光表示部９を構成する透光窓部１４ｄを含めて、昇降操作可能な機能に対応する全ての操作ボタン１２Ｌ，１２Ｒ（添字ａ〜ｄ）の透光窓部１４ａ，１４ｂ，１４ｃ，１４ｄが、通常の発光色、例えば緑色のＬＥＤｇのみが点灯して緑色の発光色で発光するので、操作者は必要に応じて操作ボタン１２Ｌ，１２Ｒ（添字ａ〜ｄ）を操作して床動作手段３を動作させることができる。
【００３９】
ここで、操作ボタン１２Ｌｄの操作により床高を下降して、床状態設定手段７に設定された最低位置に至ると、制御手段４は操作スイッチ手段５に指令を送信し、切換手段１０により、対応する発光表示部９の発光表示、例えば床高に対応する操作ボタン１２Ｌｄ，１２Ｒｄの発光表示部９を構成する透光窓部１４ｄの発光色を切り換える。
【００４０】
上述したように各発光表示部９に、緑色と赤色の発光色のＬＥＤｇとＬＥＤｒを用いている場合には、通常点灯させている緑色のＬＥＤｇを消灯すると共に、赤色のＬＥＤｒを点灯すると透光窓部１４ｄの発光色が緑色から赤色に切り換えるため、この発光色の切り換わり、即ち、切り換わった時点や、それ以降の発光色を視認することにより、床の状態が、報知すべきものとして予め設定された状態となったことを、昼夜に関わらず瞬時に、そして確実に確認することができる。
【００４１】
尚、赤色の発光色を、故障の発生等の他の表示機能に割り当てている場合には、緑色と赤色の発光色のＬＥＤｇとＬＥＤｒを同時に点灯させると、加色混合により橙色の発光色が得られるので、この橙色の発光色を、床の状態が、報知すべきものとして予め設定された状態となった際の発光色として使用することができる。
【００４２】
以上の説明では、発光表示部９における発光表示の切り換えを、発光色についてのみ行っているが、発光色の切り換えに代えて、発光パターンを切り換えるようにしても良いし、発光色と発光パターンの両者を切り換えるように切換手段に機能を付加することができる。
【００４３】
次に図４は、本発明の報知装置の構成要素である操作スイッチ手段５をリモートコントローラとしての手元スイッチとして構成した第２の実施の形態を示すものである。この第２の実施の形態では、発光表示部９の構成が第１の実施の形態と異なっており、それ以外の構成要素は第１の実施の形態と同様であるので、同一の符号を付して詳細な説明は省略する。
【００４４】
この第２の実施の形態では、第１の実施の形態における夫々の透光窓部１４ａ，１４ｂ，１４ｃ，１４ｄに代えて、図３中に破線枠で示すように、スイッチ器体１１のピクトグラム１３ａ，１３ｂ，１３ｃ，１３ｄの個所を透光窓部１８ａ，１８ｂ，１８ｃ，１８ｄとして構成し、夫々の透光窓部１８ａ，１８ｂ，１８ｃ，１８ｄに対応してスイッチ器体１１内に発光色切換可能な上記ＬＥＤ９ｇ，ＬＥＤ９ｒを設けた構成である。
【００４５】
この第２の実施の形態では、床２の動作を象徴的に表示したピクトグラム１３ａ，１３ｂ，１３ｃ，１３ｄの個所に設けられた透光窓部１８ａ，１８ｂ，１８ｃ，１８ｄが発光表示部９となるので、床２の動作と発光表示との関連付けを、より良好にすることができる。
【００４６】
以上の第１、第２の実施の形態に加え、本発明では操作スイッチ手段５に、報知音発生部（図示省略）を設け、この報知音発生部を、発光表示部９における発光表示の切り換えに連動して鳴動させる構成とすることができる。
【００４７】
このように操作スイッチ手段５に報知音発生部を設けた場合には、その鳴動により、床の状態が、報知すべき床の状態となった時点において即座に確認することができ従って、放置すべき床の状態が継続してしまうこと、例えば禁忌状態が継続してしまうことを確実に防止することができる。この他、床の状態が、報知すべき床の状態となった時点において鳴動と共に、床の動作を停止し、そして確認手段として、発光表示部９における発光表示を切り換えて、赤色表示等を行うようにしても良い。
【００４８】
次に本発明の報知装置における報知動作の制御の流れの具体例を説明する。
【００４９】
まず図５は、報知すべき床の状態として、ベッドの床高の最低位置を設定する場合の動作の流れを示すものである。
まずステップＳ１においては、通知機能がＯＮとなっているか否かを判定し、通知機能がＯＮとなっている場合にはステップＳ２に移行して、床状態設定手段７に床高の最低位置（HLmin）として280mmを設定し、ＯＮとなっていない場合にはステップＳ３に移行して、床状態設定手段７に床高の最低位置（HLmin）として250mmを設定する。尚、通知機能は、ベッドに、その床に加わる荷重を計測するセンサを設け、その荷重変化により患者の動作（起き上がり、端座位、離床、徘徊等）を検知し、ナースコールや無線等の伝達手段により、患者がリスクのある動作をしたことを医療・看護・介護スタッフに知らせるという機能である。
【００５０】
こうして制御手段４は、ステップＳ４において床２の状態を監視し、現在の床高（HL）が床状態設定手段７に設定された最低位置（HLmin）であるか否かを判断する。
【００５１】
現在の床高（HL）が床状態設定手段７に設定された最低位置（HLmin）でないと判断した場合には、ステップＳ５に移行し、発光表示部９においては、緑色のＬＥＤｇのみが点灯されて、その発光色は、操作スイッチ部８の動作可能状態を表示する通常の発光色である緑に維持される。
【００５２】
一方、現在の床高（HL）が床状態設定手段７に設定された最低位置（HLmin）であると判断した場合には、ステップＳ６に移行し、発光表示部９においては、緑色のＬＥＤｇに加えて赤色のＬＥＤｒが点灯されて、その発光色は、加色混合により橙色となる。従ってこの発光色の切り換わりを視認することにより、現在の床高（HL）が床状態設定手段７に設定された最低位置（HLmin）であることを確認することができる。
【００５３】
次に図６は、操作スイッチ手段５により操作可能な床の昇降動作の夫々について、報知すべき床の状態を、操作スイッチ手段５に設けたメモリ設定機能の操作により、床状態設定手段７に設けている夫々のメモリに設定して、夫々の操作スイッチ部８に対応する発光表示部９に報知を行わせる場合の動作の流れを示すものである。
【００５４】
まずステップＳ１１では、メモリへの設定を行う操作、即ち、メモリ設定機能がＯＮかＯＦＦかの判断を行い、ＯＦＦの場合には、ステップＳ１３に移行し、発光表示部９においては、緑色のＬＥＤｇのみが点灯されて、その発光色は、操作スイッチ部８の動作可能状態を表示する通常の発光色である緑に維持される。
【００５５】
ステップＳ１１において、メモリ設定機能がＯＮと判断した場合には、ステップＳ１２に移行して、操作スイッチ手段５により各メモリへの設定を行う。このメモリ設定機能によりメモリに設定される床の状態は、図に示されるように床の目標値（aa)，(bb)，(cc,dd)，…である。
【００５６】
こうして制御手段４は、ステップＳ１４において床２の状態を監視し、床状態設定手段７のメモリに設定されている夫々設定値と等しいか否かを判断する。
【００５７】
夫々の昇降動作に関して、設定値と等しくないと判断された場合には、ステップＳ１３に移行し、通常の発光色である緑に維持されると共に、設定値と等しいと判断された場合にはステップＳ１４からステップＳ１５に移行し、発光表示部９においては、緑色のＬＥＤｇに加えて赤色のＬＥＤｒが点灯されて、その発光色は、加色混合により橙色となる。従ってこの発光色の切り換わりを視認することにより、夫々の昇降動作に関して、床の状態が目標値として設定された状態に至ったことを確認することができる。
【００５８】
次に図７は、操作スイッチ手段５により操作可能な床の昇降動作の夫々について、報知すべき床の状態を、操作スイッチ手段５に設けた禁忌姿勢設定機能の操作により、床状態設定手段７に設けている夫々のメモリに設定して、夫々の操作スイッチ部８に対応する発光表示部９に報知を行わせる場合の動作の流れを示すものである。
【００５９】
まずステップＳ２１では、メモリへの設定を行う操作、即ち、禁忌姿勢設定機能がＯＮかＯＦＦかの判断を行い、ＯＦＦの場合には、ステップＳ２３に移行し、発光表示部９においては、緑色のＬＥＤｇのみが点灯されて、その発光色は、操作スイッチ部８の動作可能状態を表示する通常の発光色である緑に維持される。
【００６０】
ステップＳ２１において、禁忌姿勢設定機能がＯＮと判断した場合には、ステップＳ２２に移行して、操作スイッチ手段５により各メモリへの設定を行う。この禁忌姿勢設定機能により各メモリに設定される値は、図に示されるように、禁忌姿勢でない床の範囲(ff〜gg)，(hh〜ii)，(jj〜kk)，…である。
【００６１】
こうして制御手段４は、ステップＳ２４において各床２の状態を監視し、床状態設定手段７のメモリに設定されている夫々設定値と等しいか否かを判断する。
【００６２】
夫々の昇降動作に関して、設定値と等しいと判断された場合、即ち、禁忌姿勢ではないと判断された場合には、ステップＳ２３に移行し、通常の発光色である緑に維持されると共に、設定値と等しくないと判断された場合、即ち、禁忌姿勢であると判断された場合にはステップＳ２４からステップＳ２５に移行し、発光表示部９においては、緑色のＬＥＤｇに代えて赤色のＬＥＤｒが点灯され。一般的に赤色の表示は、交通信号における歩行禁止の意味から、禁止という観念が類推され、これにより、禁忌姿勢への移行を良好に確認することができる。勿論、上述したと同様に、発光色を橙色とすることも可能である。
【００６３】
以上の実施の形態の説明では、操作スイッチ手段５を手元スイッチとして構成しているが、この他、病院用・施設用の電動式ベッドにおいて設置されるナース操作パネルとして構成することも可能であり、手元スイッチは電動式ベッドにおいて必須の要素であり、またナース操作パネルも病院用・施設用の電動式ベッドでは必須的な要素であるから、本発明の報知装置では、特許文献２に示されるような専用の表示装置を必要とせず、従って大掛かりとならず、コストも低く構成することができる。
【００６４】
尚、以上に説明した実施の形態のステップＳ４、Ｓ１４、Ｓ２４の一致判断においては、必要に応じて許容誤差範囲を設定できることは勿論である。
【符号の説明】
【００６５】
１              報知装置
２              床
３              床動作手段
４              制御手段
５              操作スイッチ手段
６              電動式ベッド
７              床状態設定手段
８              操作スイッチ部
９              発光表示部
９ｇ，９ｒ    ＬＥＤ
１０            切換手段
１１            スイッチ器体
１２Ｌ，１２Ｒ（添字ａ−ｄ）      操作ボタン
１３（添字ａ−ｄ）      ピクトグラム
１４（添字ａ−ｄ）      透光窓部
１５              透光窓部
１６            液晶表示器
１７            フック
１８（添字ａ−ｄ）    透光窓部
【図１】
0005483579.tif 000002
【図２】
0005483579.tif 000003
【図３】
0005483579.tif 000004
【図４】
0005483579.tif 000005
【図５】
0005483579.tif 000006
【図６】
0005483579.tif 000007
【図７】
0005483579.tif 000008